(57)【要約】【課題】アルバムから写真をミシン目で切り離した際に切り離した写真の画像の一部が綴じ代側に残る虞のない写真アルバムを提供する。【解決手段】画像領域Ｒ１を備えた複数の写真プリント１自体を写真プリント１の一端に形成した綴じ代用余白領域Ｒ２を介してバインダ部によって綴じて冊子状とし、綴じ代用余白領域Ｒ２をバインダ部１０側に残したまま画像領域を切り離すための脆弱部１４が写真プリント１に形成されている写真アルバム１００であって、脆弱部１４が画像領域Ｒ１の画像端部からバインダ部１０寄りに一定間隔ｄ１を隔てて形成されている構成とした。【選択図】図１
2008093888.tif 000002
【特許請求の範囲】
【請求項１】
画像領域を備えた複数の写真プリント自体を各写真プリントの一端に形成した綴じ代用余白領域を介してバインダ手段によって綴じて冊子状とし、前記綴じ代用余白領域を前記バインダ手段側に残したまま前記画像領域を切り離すための脆弱部が前記写真プリントに形成されている写真アルバムであって、
前記脆弱部が、前記画像領域の画像端部から前記バインダ手段寄りに一定間隔を隔てて形成されている写真アルバム。
【請求項２】
前記画像領域に形成された画像に関するテキスト情報を記載するためのデータ記載領域が前記綴じ代用余白領域の一部に形成されており、前記脆弱部が、前記データ記載領域から前記画像領域寄りに第２の一定間隔を隔てて形成されている請求項１に記載の写真アルバム。
【請求項３】
前記画像領域と対応したインデックス画像が前記綴じ代用余白領域内における前記脆弱部よりも前記バインダ手段寄りの位置に形成されている請求項１または２に記載の写真アルバム。
【発明の詳細な説明】
【技術分野】
【０００１】
本発明は、画像領域を備えた複数の写真プリント自体を各写真プリントの一端に形成した綴じ代用余白領域を介してバインダ手段によって綴じて冊子状とし、前記綴じ代用余白領域を前記バインダ手段側に残したまま前記画像領域を切り離すための脆弱部が前記写真プリントに形成されている写真アルバムに関する。
【背景技術】
【０００２】
この種の写真アルバムとしては、本発明に関連する先行技術文献情報として下記に示す特許文献１がある。この特許文献１には、一端に綴じ代としての余白領域を設けた形で写真プリントを出力する写真プリント装置、および、複数枚の仕上がり写真プリントを、より厚みの大きなペーパに画像を形成した表表紙、裏表紙と共に、リング状のバインダで綴じて冊子状の写真アルバムとする考えが示されている。さらに、アルバムから写真の画像領域を切り離し易くするために、画像領域と余白領域との境界部分にミシン目を形成する、或いは、画像領域と余白領域との境界部分、例えば、白縁有りの写真プリントの場合には、縁の外縁の位置に切断用の指標となるラインをプリントする考えが提案されている。
【０００３】
【特許文献１】特開２００２−４９１０６号公報（〔００１８〕段落、〔００２６〕段落、図４、図５）
【発明の開示】
【発明が解決しようとする課題】
【０００４】
しかし、特許文献１に記された写真アルバムでは、ミシン目の形成位置を画像領域と余白領域との境界部分とのみ規定しているために、作成されたミシン目が結果的に写真画像の一部に進入しているケースが発生する虞があり、この場合、画像領域をミシン目で切り離すと、画像の一部が綴じ代側に残るので、切り離された写真プリントは画像の一部が欠落したものとなる、或いは、切り離した写真の縦横比が本来の値から変化してしまう、などの問題があった。
尚、もしもユーザが、切り離し後の写真の一辺に見られるノッチ状のミシン目の痕跡を取り除くためにカッタ等で切り落とし加工を行った場合には、上述した画像の一部欠落や縦横比の変化といった問題が更に拡大されて表れた。
【０００５】
そこで、本発明の目的は、上に例示した従来技術による写真アルバムの持つ前述した欠点に鑑み、ユーザがアルバムから写真をミシン目で切り離しても、その切り離した写真の画像の一部が綴じ代側に残る虞のない写真アルバムを提供することにある。
【課題を解決するための手段】
【０００６】
本発明の第１の特徴構成は、画像領域を備えた複数の写真プリント自体を各写真プリントの一端に形成した綴じ代用余白領域を介してバインダ手段によって綴じて冊子状とし、前記綴じ代用余白領域を前記バインダ手段側に残したまま前記画像領域を切り離すための脆弱部が前記写真プリントに形成されている写真アルバムであって、
前記脆弱部が、前記画像領域の画像端部から前記バインダ手段寄りに一定間隔を隔てて形成されている点にある。
【０００７】
したがって、本発明の第１の特徴構成による写真アルバムでは、画像領域をきれいに切り離し易くするための脆弱部が、切り離そうとする画像の端部からバインダ手段寄りに一定間隔を隔てて形成されているので、ユーザがアルバムから所望の画像の有る画像領域を脆弱部で切り離した場合、画像領域の全体領域が、画像の端部からバインダ手段寄りの一定幅の余白領域が付加された状態で切り離されることとなり、切り離した写真の画像の一部が綴じ代側に残る虞がない。また、脆弱部をミシン目で構成した場合、ユーザが、切り離し後の写真の一辺からノッチ状のミシン目の痕跡を取り除くためにカッタ等で切り落とし加工を行う際にも、画像部位を殆ど切り捨てることなく加工できる。
【０００８】
本発明の他の特徴構成は、前記画像領域に形成された画像に関するテキスト情報を記載するためのデータ記載領域が前記綴じ代用余白領域の一部に形成されており、前記脆弱部が、前記データ記載領域から前記画像領域寄りに第２の一定間隔を隔てて形成されている点にある。
【０００９】
本構成であれば、例えば撮影日付やコマ番号などの撮影データ等、或いは画像データに付されたファイル名を担持したテキスト情報が、画像領域の切り離し後もアルバム本体側に完全な状態で残ることになるので、切り離した写真画像のリプリント注文等を、このテキスト情報に基づいて行うことが可能となる。
【００１０】
本発明のさらに別の特徴構成は、前記画像領域と対応したインデックス画像が前記綴じ代用余白領域内における前記脆弱部よりも前記バインダ手段寄りの位置に形成されている点にある。
【００１１】
本構成であれば、画像領域の切り離し後も、場所を取らない小さなインデックス画像がバインダ手段側すなわちアルバム本体側に残ることになるので、切り離した写真画像のリプリント注文を、この残されたインデックス画像を参照しつつ確実に行うことができる。特に、この構成では、最初の切り離しから時間が経過した時期に、残っている他の画像領域の中から新たに切り離すべき写真画像を選択する際に、残されている画像領域の写真画像と切り離した写真画像との間の内容上の関係を視覚的に参照しながら選択することができる。
【発明を実施するための最良の形態】
【００１２】
以下に本発明による最良の実施形態について図面を参照しながら説明する。
図１（ｂ）に示す写真アルバム１００は、アルバムの中身を構成する複数の写真プリント１、アルバムを閉じた状態において写真プリント１を前後から挟み込むハードカバー状の表表紙２と裏表紙３、写真プリント１の一端面を覆うハードカバー状の背表紙４、及び、写真プリント１と表表紙２と裏表紙３とを冊子状に綴じるためのリング状バインダ１０（バインダ手段の一例）によって構成されている。
【００１３】
個々の写真プリント１は、写真画像がプリントされた矩形の画像領域Ｒ１、画像領域の一辺に隣接するように白色や濃度の低い単色でプリントされた綴じ代用余白領域Ｒ２、及び、綴じ代用余白領域Ｒ２とは反対側の一辺に隣接するように単色でプリントされた頁めくり用余白領域Ｒ３からなる。
【００１４】
これらの３つの領域Ｒ１，Ｒ２，Ｒ３は、デジタルミニラボ機などの写真プリント装置によって一枚の銀塩印画紙（カラーネガペーパ）の表面に同時にプリントされている。但し、これら３種類の領域Ｒ１，Ｒ２，Ｒ３は他の種類の画像形成装置例えばインクジェットプリンタなどによってプリントされていても良く、さらに、一枚のペーパの表裏に同時にプリントされていても良い。
【００１５】
綴じ代用余白領域Ｒ２にはリング状バインダ１０を挿通させるための多数の貫通孔１２が、前述したプリント工程よりも後の工程で、専用の穿孔装置（不図示）によって形成されている。尚、ここで用いているリング状バインダ１０は、各貫通孔１２に挿通される多数のリングのうち互いに隣接するリングどうしが、リングを構成する針金の一部によって連結されて全体として１つのチューブ状を呈している。
【００１６】
各写真プリント１には、綴じ代用余白領域Ｒ２をリング状バインダ１０に残したままユーザが所望の画像領域Ｒ１を容易に切り離すためのミシン目１４（脆弱部の一例）が、やはり前記プリント工程よりも後の工程で形成されている。本願発明による写真アルバム１００の最大の特徴は、ミシン目１４が、画像領域Ｒ１の画像端部からリング状バインダ１０寄りに、例えば１〜２ｍｍ程度の幅の一定間隔ｄ１を隔てて形成されている点にある。
【００１７】
また、綴じ代用余白領域Ｒ２の一部には、画像領域Ｒ１に形成された画像に関するテキスト的な情報を記載するためのデータ記載領域Ｒｄが含まれている。この実施形態ではテキスト情報は各画像の撮影日時とコマ番号とからなるが、他に、例えば画像データに付されたファイル名や撮影時にカメラを介して入力されたメッセージなどを加えても良い。ミシン目１４は、このデータ記載領域Ｒｄからも画像領域Ｒ１寄りに、例えば０．５〜１ｍｍ程度の幅の第２の一定間隔ｄ２を隔てて形成されている。
【００１８】
そこで、図２（ａ）と図２（ｂ）に例示するように、ユーザが所望の画像領域Ｒ１のプリント部位を写真アルバム１００からミシン目１４で切り離すと、画像領域Ｒ１の全体領域が、画像の端部からリング状バインダ１０寄りの一定間隔ｄ１の小余白領域Ｒｐが付加された状態で切り離される。したがって、切り離した写真の画像の一部が綴じ代側に残る虞がない。また、データ記載領域Ｒｄに記されたテキスト情報の一部が画像領域Ｒ１とともに切り離される虞もない。さらに、一旦或る画像領域Ｒ１のプリント部位を切り離せば、図２（ｃ）に例示するように、ユーザは切り離し後のプリント部位の一辺から裁断機などでノッチ状のミシン目の痕跡を含む小余白領域Ｒｐのみを容易に切り落とすことができる。
【００１９】
図１（ａ）に示すように、ハードカバー状の表表紙２と裏表紙３と背表紙４とは、薄く柔軟性のあるカバーシート５によって一体的に連結されている。表表紙２と裏表紙３とが背表紙４に対して自由に屈曲されるように、表表紙２と背表紙４との境界、及び、裏表紙３と背表紙４との境界には、カバーシート５のみで構成された柔軟な屈曲部が設けられている。
【００２０】
複数の写真プリント１の前後には一対のダミー用紙６，７が配置されている。ダミー用紙６，７は、写真プリント１と同様の寸法であるが、写真プリント１よりも機械的な耐久性の高いＰＥＴなどの素材で形成されており、写真プリント１と同じ位置にリング状バインダ１０のための貫通孔１２が形成されている。ダミー用紙６，７にはミシン目１４は無い。ダミー用紙６，７は、写真プリント１と共にリング状バインダ１０によって綴じられている。
【００２１】
図１（ａ）に例示するように、ダミー用紙６，７の片面が、表表紙２と裏表紙３との各裏面に接着剤によって貼付されることで、表表紙２と裏表紙３と背表紙４が、リング状バインダ１０を介して写真プリント１と連結される。
【００２２】
さらに、図３に例示するように、写真アルバム１００を閉じた状態で表表紙２と裏表紙３とを連結する連結手段として、裏表紙３の一部には紐１６の一端が固着されており、表表紙２には紐１６の遊端部などを巻き付け可能なディスク部材１８がその中心部で固定されている。
【００２３】
〔別実施形態〕
〈１〉図４に例示するように、画像領域Ｒ１の画像と対応した小さい寸法のインデックス画像Ｒｓを、画像領域Ｒ１の切り離し後も写真アルバムの本体側に残る参照情報として、綴じ代用余白領域Ｒ２に設けた構成としても良い。ここでも、ミシン目１４は、画像領域Ｒ１の画像端部からリング状バインダ１０寄りに、例えば１〜２ｍｍ程度の幅の一定間隔ｄ１を隔てて形成されている。また、ミシン目１４はインデックス画像Ｒｓから画像領域Ｒ１寄りに、例えば０．５〜１ｍｍ程度の幅の第２の一定間隔ｄ２を隔てて形成されている。
【００２４】
〈２〉図５に例示するように、表表紙２と裏表紙３とに持ち運び用のハンドル２０を設けても良い。或いは、図６に例示するように、表表紙２と裏表紙３とに形成された貫通孔によって構成されたハンドル２１としても良い。
【００２５】
〈３〉図７（ａ）に例示するように、表表紙２に、選択された写真として切り離された画像領域Ｒ１のプリント部位を、写真アルバムの閉じ状態で鑑賞可能な形態で挿入するための展示用窓２３を設けても良い。展示用窓２３には挿入したプリント部位の画像領域Ｒ１を保護するための透明な樹脂シートが設けられている。この樹脂シートの裏面側には挿入されたプリント部位を支持するポケット状のシートが配置されている。表表紙２の裏側などから挿入して展示用窓２３に支持させる写真は自在に交換可能である。尚、ポケット状のシートを透明にすることで、写真アルバムの最初のページを構成する画像領域Ｒ１が展示用窓２３から透視される構成とすることもできる。また、図７（ｂ）に例示するように、閉じられた写真アルバムを選択された写真のためのフォトフレームとして用いるために、閉じた写真アルバムを立設させるための脚部２５を裏表紙３に設けても良い。
【００２６】
〈４〉窓状の展示手段ではなく、表表紙２と裏表紙３との少なくとも一方の表面に、選択された写真を粘着テープなどによって着脱自在に貼付するための矩形枠状の凹部を設けても良い。
【００２７】
〈５〉図８に例示するように、表表紙２と裏表紙３とを写真プリント１と反対側で対向させるように近付けることで、写真アルバム１００を断面が三角形の立体形状に固定できるように構成しても良い。この構成では所望の画像を備えた画像領域Ｒ１を展示するように机上などに立たせることができる。この場合、表表紙２と裏表紙３とを反対側で近接した状態で連結する手段として、遊端に面ファスナ２７ａを備えた紙製のアーム２６を裏表紙３に取り付け、表表紙２の側には面ファスナ２７ａと接合可能な面ファスナ２７ｂを設けておくと良い。さらに、表表紙２と裏表紙３との近接を硬い背表紙４が阻害しないように、背表紙４には屈曲部４ａを設けることができる。
【００２８】
〈６〉一般に複数の写真プリント１を円形のリング状バインダ１０によって綴じると、図９（ａ）に例示するように、写真プリント１の反綴じ側の端面が凸状の円形に並ぶために指でページを捲り難くなる。そこで、図９（ｂ）に例示するように、互いに綴じられた複数枚の写真プリント１の反綴じ側の端面が写真プリントの厚さ方向で直線状に揃うように、各写真プリント１の幅をページの順番に応じて互いに異ならせても良い。或いは、図９（ｃ）に例示するように、互いに綴じられた複数枚の写真プリント１の反綴じ側の端面が写真プリント１の厚さ方向で直線状に揃うように、リング状バインダ用の貫通孔の位置を写真プリント毎に異ならせても良い。
【００２９】
〈７〉図１０に例示するように、一つの写真アルバム１００を構成する複数の写真プリント１を互いに重ね合わせると、複数の写真プリント１が互いに協働して形成する立体の端面に新たな特定の像Ｇが創出されるように、所定の補助的画像Ｇｈ（第２の画像）を各写真プリント１の縁部に形成してあっても良い。例えば、結婚式の記録であればハート形状など、写真アルバム１００の内容を連想させるシンボル的な形状が像Ｇとして創出されるようにすることで、多数の写真アルバム１００の中から必要な一つを像Ｇの形状に基づいて選び出し易くできる。
【００３０】
〈８〉バインダ手段はリング状バインダに限らず紐やミシン糸などでも良く、他に、綴じ代用余白領域どうしを接合する接着剤をバインダ手段とすることも可能である。
【００３１】
〈９〉脆弱部を実現する具体的な方法としては、前述したミシン目に限らず、ハーフカット処理（写真プリントの厚さ方向の一部を残して表面層または裏面層だけをカットする方法）を用いても良い。
【図面の簡単な説明】
【００３２】
【図１】写真アルバムの斜視図
【図２】写真プリントの略図
【図３】閉じた写真アルバムの斜視図
【図４】別実施形態による写真アルバムの略図
【図５】さらに別の実施形態による写真アルバムの斜視図
【図６】さらに別の実施形態による写真アルバムの斜視図
【図７】さらに別の実施形態による写真アルバムの斜視図
【図８】別の実施形態による写真アルバムの略図
【図９】さらに別の実施形態による写真アルバムの斜視図
【図１０】さらに別の実施形態による写真アルバムの説明図
【符号の説明】
【００３３】
１  写真プリント
２  表表紙
３  裏表紙
４  背表紙
５  カバーシート
６，７  ダミー用紙
１０  リング状バインダ（バインダ手段、バインダ部）
１４  ミシン目（脆弱部）
１００  写真アルバム
Ｒ１  画像領域
Ｒ２  綴じ代用余白領域
Ｒ３  頁めくり用余白領域
Ｒｄ  データ記載領域
Ｒｐ  小余白領域
ｄ１  一定間隔
ｄ２  第２の一定間隔
【図１】
2008093888.tif 000003
【図２】
2008093888.tif 000004
【図３】
2008093888.tif 000005
【図４】
2008093888.tif 000006
【図５】
2008093888.tif 000007
【図６】
2008093888.tif 000008
【図７】
2008093888.tif 000009
【図８】
2008093888.tif 000010
【図９】
2008093888.tif 000011
【図１０】
2008093888.tif 000012